(57)【要約】【課題】  冷却用海水の温度をできるだけ低くして凝縮手段の熱効率を高めて淡水の生成量を増加でき、また、フラッシュ蒸発により蒸発し切れず海水淡水化装置装置の外へ排出される温海水の温度を環境対策の観点からできるだけ低く調節することができる海水淡水化装置を提供する。【解決手段】  一の取水口から取水された海水を放熱手段３２に供給すると共に、他の取水口から取水される海水を冷却手段１に供給して冷却し、この冷却した海水と放熱手段から排出される海水とが凝縮手段２６に供給されて淡水を生成するようにしているので、凝縮手段２６がより大きな温度差で凝縮作用を行えることととなり、凝縮手段２６の熱効率を高めて淡水の生成量を増加できる。【選択図】    図１
2005349369.tif 000002
【特許請求の範囲】
【請求項１】
熱交換媒体として一の取水口から取り入れた海水に対し熱を放出すると共に、温度の高くなった前記海水を排出する放熱手段と、大氣圧以下の所定圧力に減圧する減圧容器と、この減圧容器に配設されて、前記放熱手段から排出された海水をスプレーフラッシュ式により略霧状に噴射して水分を一部蒸発させて水蒸気を得る一方、蒸発しなかった残りの海水を排出するフラッシュ蒸発手段と、他の取水口から取水した海水を冷却水として使用し、前記フラッシュ蒸発手段で得られた水蒸気を当該冷却水により冷却し凝縮させて塩分を含まない水を得る凝縮手段とを備え、前記放熱手段に対し前記凝縮手段で冷却水として使用した海水を前記熱交換用媒体として供給する一方、前記放熱手段から排出された海水を前記フラッシュ蒸発手段に導入して前記凝縮手段で凝縮させて淡水を生成する海水淡水化装置において、
前記他の取水口と前記凝縮手段との間に介装され、当該他の取水口から取水された海水を冷却し、当該冷却された冷海水を凝縮手段に対して供給するための冷却手段を備えたことを
特徴とする海水淡水化装置。
【請求項２】
前記請求項１に記載の海水淡水化装置において、
前記一の取水口から取水した海水と前記冷却手段で冷却された冷海水とを混合させて第一の混合冷海水とし、当該第一の混合冷海水を貯蔵する貯蔵手段と、
前記貯蔵手段内の前記第一の混合冷海水の温度を計測する第一の温度計測手段と、
前記他の取水口から取水し前記冷却手段で冷却された冷海水および前記一の取水口から取水した海水のそれぞれの貯蔵手段への供給量を調節する第一の供給調節手段とを備え、
前記計測された第一の混合冷海水の温度および前記凝縮手段に供給される冷却水の目標温度の温度差を前記第一の供給調節手段により調節することを
特徴とする海水淡水化装置。
【請求項３】
前記請求項１または２に記載の海水淡水化装置において、
前記凝縮手段で冷却水として使用した海水と前記一の取水口から取水した海水とを混合して第二の混合海水とし、当該第二の混合海水を前記放熱手段の熱交換用媒体として供給すると共に、当該第二の混合海水に対して熱が放出され、当該放熱手段から排出される温度の高くなった混合温海水を任意の温度および流量等に調節して前記フラッシュ蒸発手段へ供給する第二の供給調節手段と、
前記減圧容器内に配設され、前記フラッシュ蒸発手段から排出される海水の温度を計測する第二の温度計測手段とを備え、
前記計測された温度および目標温度の温度差を前記第二の供給調節手段により調節することを
特徴とする海水淡水化装置。
【請求項４】
前記請求項１ないし３のいずれかに記載の海水淡水化装置において、
前記冷却手段と、前記貯蔵手段、前記第一の温度計測手段および前記第一の供給調節手段からなる冷海水調節手段と、前記第二の供給調節手段および前記第二の温度計測手段からなる温海水調節手段とのうち少なくとも一つの動作条件を監視すると共に、前記凝縮手段に供給する冷却水の目標温度あるいはフラッシュ蒸発手段から排出される海水の目標温度を制御目標値として、前記冷却手段と冷海水調節手段と温海水調節手段とのいずれか少なくとも一つに指令を出力し、当該冷却手段と当該冷海水調節手段と当該温海水調節手段とのうち少なくとも一つを最適に制御する統合制御手段を備えることを
特徴とする海水淡水化装置。
【発明の詳細な説明】
【技術分野】
【０００１】
本発明は、蒸発法を用いて海水を淡水化する海水淡水化装置に関し、特に排熱を用いた温海水と外部から取水する冷海水とを利用して効率よく淡水化が行える海水淡水化装置に関する。
【０００２】
従来、この種の海水淡水化装置として、特願平２００３−４３２２１２号公報(以下、特許文献１)があり、これを図５に示す。図５は特許文献１に記載する従来の海水淡水化装置の概略構成図である。
【０００３】
前記図５において従来の海水淡水化装置は、熱交換用媒体として取り入れた海水に対して熱を放出すると共に、温度の高くなった前記海水を排出して海水から淡水を生成する既存の海水淡水化装置として機能する放熱手段５０と、この放熱手段５０と海水の取水管５６および排水管５７との間に介装され、スプレーフラッシュ蒸発式により海水から淡水を生成する海水淡水化装置５１とを備える構成である。
この海水淡水化装置５１は、大氣圧以下の所定圧力に減圧する減圧容器５２と、この減圧容器５２内に配設されて、前記放熱手段５０から排出された海水をスプレーフラッシュ式により略霧状に噴射して水分を一部蒸発させて水蒸気を得る一方、蒸発しなかった残りの海水を排出するフラッシュ蒸発手段５３と、前記フラッシュ蒸発手段５３で得られた水蒸気が海水を冷却水として凝縮されて塩分を含まない水を得る凝縮手段５４とからなり、前記凝縮手段５４で冷却水として使用した海水を前記放熱手段５０に対し前記熱交換用媒体として供給する一方、この放熱手段５０から排出された海水を前記フラッシュ蒸発手段５３に導入する構成である。
【０００４】
次に、前記構成に基づく従来の海水淡水化装置の淡水化動作について説明する。取水管５６から取水された海水は、前記凝縮手段５４に供給されて前記フラッシュ蒸発手段５３からの蒸気を凝縮させて熱回収し、取水した時よりも高い温度の温海水となっている。この熱回収した温海水は、前記放熱手段５０に導入されて再度熱回収をするので、前記放熱手段５０に導入される時よりもさらに高い温度の温海水となって前記フラッシュ蒸発手段５３に供給される。この温海水は、前記フラッシュ蒸発手段５３で蒸気となった後に前記凝縮手段５４で塩分を含まない水に凝縮されて淡水化し、前記フラッシュ蒸発手段５３で蒸発しきれなかった温海水の一部は前記排水管５７を通って海へ排出される。
このように、前記放熱手段５０での使用の間に生じる海水の温度差を利用することで、フラッシュ蒸発手段５３に導入される海水温度を高めて、このフラッシュ蒸発手段５３での蒸発量が増加するような状態を得ることにより、海水の淡水化が効率よく行えるようになっている。また、放熱手段５０で熱を回収した後に外部に捨てられていた温海水の熱を海水淡水化に利用することで、前記フラッシュ蒸発手段５３で蒸発しきれず排出される使用済海水の温度を下げることができ、環境への影響を抑えることもできる。
【０００５】
また、前記海水淡水化装置５１は、既存の海水淡水化装置である放熱手段５０の稼動に影響を与えることなく海水淡水化が行えるため、前記海水淡水化装置５１および既存の海水淡水化装置である放熱手段５０の各淡水化量を合わせて淡水化量を増加させることができる。また、既存の海水淡水化装置である放熱手段５０と取水管５６および排水管５７との間に介装して前記海水淡水化装置５１を設置できることから、海に対する新たな取水管および排水管の配管工事が不要となるため、別途新たに海水淡水化装置を増設する場合と比べて、工事費用を低く抑えることができる。
【特許文献１】特願平２００３−４３２２１２号公報
【発明の開示】
【発明が解決しようとする課題】
【０００６】
従来の海水淡水化装置は以上のように構成されていたことから、放熱手段５０で熱を回収した後に外部に捨てられていた温海水の熱を海水淡水化装置５１に再利用することにより、淡水化量を増加させることができる。
【０００７】
しかしながら、取水口５６から取水されて凝縮手段５４に供給される冷却用海水の温度および流量は、立地条件や季節等に大きく支配されることがあり、十分に低い温度の海水が得られない場合は凝縮手段の熱効率が下がり、淡水化量が減少するという課題を有する。
【０００８】
また、海水淡水化装置５１に導入される温海水の温度および流量が放熱手段５０の性能に支配される可能性があることから、フラッシュ蒸発手段５３により蒸発し切れなかった残りの温海水は、温海水自体の熱量と共にこの海水淡水化装置５１の外へ排出されることとなり、環境上悪影響をおよぼすという課題等を有する。
【０００９】
本発明は、前記課題を解決するためになされたもので、冷却用海水の温度をできるだけ低くして凝縮手段の熱効率を高めて淡水の生成量を増加でき、また、フラッシュ蒸発により蒸発し切れず海水淡水化装置装置の外へ排出される温海水の温度を環境対策の観点からできるだけ低く調節することができる海水淡水化装置を提供することを目的とする。
【課題を解決するための手段】
【００１０】
本発明に係る海水淡水化装置は、熱交換媒体として一の取水口から取り入れた海水に対し熱を放出すると共に、温度の高くなった前記海水を排出する放熱手段と、大氣圧以下の所定圧力に減圧する減圧容器と、この減圧容器に配設されて、前記放熱手段から排出された海水をスプレーフラッシュ式により略霧状に噴射して水分を一部蒸発させて水蒸気を得る一方、蒸発しなかった残りの海水を排出するフラッシュ蒸発手段と、他の取水口から取水した海水を冷却水として使用し、前記フラッシュ蒸発手段で得られた水蒸気を前記冷却水により冷却し凝縮させて塩分を含まない水を得る凝縮手段とを備え、前記放熱手段に対し前記凝縮手段で冷却水として使用した海水を前記熱交換用媒体として供給する一方、前記放熱手段から排出された海水を前記フラシュ蒸発手段に導入して前記凝縮手段で凝縮させて淡水を生成する海水淡水化装置において、前記他の取水口と前記凝縮手段との間に介装され、前記他の取水口から取水された海水を冷却し、前記冷却された冷海水を凝縮手段に対して供給するための冷却手段を備えるものである。
【００１１】
また、本発明に係る海水淡水化装置は必要に応じて、前記一の取水口から取水した海水と前記冷却手段で冷却された冷海水とを混合させて第一の混合冷海水とし、前記第一の混合冷海水を貯蔵する貯蔵手段と、前記貯蔵手段内の前記第一の混合冷海水の温度を計測する第一の温度計測手段と、前記他の取水口から取水し前記冷却手段で冷却された冷海水と前記一の取水口から取水した海水とのそれぞれの供給量を調節する第一の供給調節手段とを備え、前記計測された第一の混合冷海水の温度と前記凝縮手段に供給される冷却水の目標温度との温度差を前記第一の供給調節手段により調節するものである。
【００１２】
また、本発明に係る海水淡水化装置は必要に応じて、前記凝縮器で冷却水として使用する海水と前記一の取水口から取水した海水とを第二の混合海水とし、前記第二の混合海水を前記放熱手段の熱交換用媒体として供給すると共に、前記第二の混合海水に対して熱が放出され、前記放熱手段から排出される温度の高くなった混合温海水を任意の温度および流量等に調節してフラッシュ蒸発手段へ供給する第二の供給調節手段と、前記大氣圧以下の所定圧力に減圧する減圧容器内には、前記フラッシュ蒸発手段から排出される海水の温度を計測する第二の温度計測手段とを備え、前記計測された温度と目標温度との温度差を前記第二の供給調節手段により調節するものである。
【００１３】
また、本発明に係る海水淡水化装置は必要に応じて、前記冷却手段と、前記貯蔵手段、前記第一の温度計測手段および前記第一の供給調節手段からなる冷海水調節手段と、前記第二の供給調節手段および前記第二の温度計測手段からなる温海水調節手段とのうち少なくとも一つの動作条件を監視すると共に、前記凝縮手段に供給する冷却水の目標温度あるいはフラッシュ蒸発手段から排出される海水の目標温度を制御目標値として、前記冷却手段と冷海水調節手段と温海水調節手段とのいずれか少なくとも一つに指令を出力し、前記冷却手段と当該冷海水調節手段と当該温海水調節手段とのうち少なくとも一つを最適に制御する統合制御手段を備えるものである。
【発明の効果】
【００１４】
本発明においては、一の取水口から取水された海水を放熱手段に供給すると共に、他の取水口から取水される海水を冷却手段に供給して冷却し、この冷却した海水と放熱手段から排出される海水とが凝縮手段に供給されて淡水を生成するようにしているので、凝縮手段がより大きな温度差で凝縮作用を行えることととなり、凝縮手段の熱効率を高めて淡水の生成量を増加できるという効果を有する。
【００１５】
また、本発明においては、一の取水口から取水した海水と他の取水口から取水し冷却手段で冷却された冷海水のそれぞれの供給量を第一の供給調節手段により調節して、それらを混合させて混合冷海水として貯蔵手段に貯蔵し、この貯蔵手段内の混合冷海水の温度を第一の温度計測手段により計測し、この計測された温度と凝縮手段に供給される冷却水の目標温度との温度差を第一の供給調節手段により調節しているので、凝縮手段に供給される冷却水の温度を任意に調節して放熱手段の熱効率および本装置による淡水の生成効率の各効率の調和点を求めて装置全体の熱効率を高めることができることとなり、淡水化の効率および能力を向上させるという効果を有する。
【００１６】
また、本発明においては、放熱手段から排出される温度の高くなった温海水を任意の温度および流量等に第二の供給調節手段により調節してフラッシュ蒸発手段へ供給し、このフラッシュ蒸発手段から排出される海水の温度を第二の温度計測手段により計測して、この計測された温度と目標温度との温度差を前記第二の供給調節手段により調節しているので、フラッシュ蒸発手段で蒸発仕切れず排出される温海水の温度を最適値あるいは最小値に設定することができ、環境への影響が軽減できるという効果を有する。
【００１７】
また、本発明においては、冷却手段、冷海水調節手段および温海水調節手段の少なくとも一つの動作条件をリアルタイムで監視すると共に、前記凝縮手段に供給される冷却水の目標温度あるいはフラッシュ蒸発手段から排出される海水の目標温度を制御目標値として持つ統合制御手段を備えているので、この統合制御手段により制御目標値と前記第一の温度計測手段および前記第二の温度計測手段によりそれぞれ計測される前記第一の混合冷海水の温度およびフラッシュ蒸発手段から排出される海水の温度との差をそれぞれ求めて、この差を冷却手段、冷海水調節手段および温海水調節手段のいずれか少なくとも一つに指令を出すことにより、前記第一の混合冷海水の温度とフラッシュ蒸発手段から排出される海水の温度を各々最適に制御できることとなり、淡水化の効率を最大に高めると共に環境への影響も軽減できるという効果を有する。
【発明を実施するための最良の形態】
【００１８】
(本発明の第一の実施形態)
以下、本発明の第一の実施形態に係る海水淡水化装置を図１ないし図４に基づいて説明する。図１は本実施形態に係る海水淡水化装置の全体構成、図２は本実施形態に係る冷却手段および冷海水生成手段の構成、図３は本実施形態に係る温海水生成手段の構成、図４は本実施形態に係る統合制御手段の構成を示す。
【００１９】
前記各図において本実施形態に係る海水淡水化装置は、熱交換媒体として一の取水口３０ａから取り入れた海水に対して熱を放出すると共に、温度の高くなった前記海水を排出して海水から淡水を生成する海水淡水化装置として機能する放熱手段３２と、前記排出された海水をスプレーフラッシュ式により略霧状に噴射して水分を一部蒸発させて水蒸気を得る一方、蒸発しなかった残りの海水を排出するフラッシュ蒸発手段２３と、他の取水口３０ｂから取水した海水を冷却水として使用して前記フラッシュ蒸発手段２３で得られた水蒸気をこの冷却水により冷却し凝縮させて塩分を含まない水を得る凝縮手段２６とを備え、前記放熱手段３２に対し前記凝縮手段２６で冷却水として使用した海水を前記熱交換用媒体として供給する一方、前記放熱手段３２から排出された海水を前記フラッシュ蒸発手段２３に導入するような基本構成である。
【００２０】
この基本構成に加え、本実施形態に係る海水淡水化装置は、他の取水口３０ｂから取水した海水を冷却して冷海水とする冷却手段１と、前記凝縮手段２６へ供給される冷却水を任意の温度に調節して生成することができる冷海水生成手段１０１と、フラッシュ蒸発手段２３で蒸発仕切れず排出される温海水の温度を最適値あるいは最小値に設定することができる温海水生成手段１０２と、冷却手段１、前記凝縮手段２６、冷海水生成手段１０１および温海水生成手段１０２を各々最適に自動制御する統合制御手段１５とを備える構成である。
【００２１】
また、前記フラッシュ蒸発手段２３および前記凝縮手段２６は、密閉容器からなる負圧状態とされる減圧容器２２に収納されて構成される。前記減圧容器２２は、前記フラッシュ蒸発手段２３で得られた水蒸気の気液を分離する霧取り手段２５と、前記凝縮手段２６で凝縮された淡水を取り出す淡水取り出し用ポンプ２７と、この減圧容器２２を大氣圧以下の所定圧力に減圧してフラッシュ蒸発を促進させる真空手段２８と、この真空手段２８と前記凝縮手段２６との間に介装されて、前記凝縮手段２６で凝縮されなかった水蒸気と一の取水口３０ａから取り入れた海水との熱交換を行う前段熱交換手段２９と、蒸発仕切れなかった温海水を排出する温海水排出用ポンプ２４とを備えている。
前記冷海水生成手段１０１は、一の取水口３０ａから取水した海水及び他の取水口３０ｂから取水した海水が冷却手段１により冷却されて生成される冷海水の各供給量を調節する供給調節手段３ａ、３ｂと、それぞれを混合させて貯蔵するための冷海水調合タンク４と、前記冷海水調合タンク４の混合冷海水の温度を計測する冷海水用温度計測手段７と、前記冷海水調合タンク４内の混合冷海水の抜気を行うための抜気手段６と、前記冷海水用温度計測手段７の出力に基づいて供給調節手段３ａ、３ｂにより供給量を調節して前記混合冷海水の温度を制御する冷海水生成手段本体５と、前記冷海水調合タンク４で生成された前記混合冷海水を前記凝縮手段２６へ送り込むための混合冷海水用供給ポンプ８とを備える構成である。
【００２２】
前記温海水生成手段１０２は、フラッシュ蒸発手段２３へ供給される混合温海水を任意
の流量等に調節する混合温海水用供給調節手段１３と、前記減圧容器２２に設けられた前記フラッシュ蒸発手段２３からの排出海水の温度を計測する排出温海水用温度計測手段１４と、前記排出温海水用温度計測手段１４の出力に基づいて前記混合温海水用供給調節手段１３により混合温海水の供給量を調節して前記排出海水の温度を制御する温海水生成手段本体１１とから構成される。前記混合温海水は、前記放熱手段３２から排出される熱回収により温度の高くなった温海水と、前記放熱手段３２において蒸発仕切れなかった温海水の一部である。
【００２３】
前記統合制御手段１５は、前記冷却手段１、前記冷海水生成手段１０１、前記温海水生
成手段１０２の各圧力、温度、流量等の動作条件をリアルタイムで監視し、前記凝縮手段２６を含むシステム全体を自動制御するためのものである。具体的には、前記凝縮手段２６に供給する冷却水の目標温度又はフラッシュ蒸発手段２３から排出される海水の目標温度を制御目標値として、前記冷却手段１、冷海水生成手段本体５、温海水生成手段本体１１の各々に指令を出し、各機能を最適に自動制御する。
【００２４】
次に、前記構成に基づく本実施形態に係る海水淡水化装置の動作について説明する。一の取水口３０ａから取水した海水及び他の取水口３０ｂから取水した海水の温度を３４℃と仮定して説明する。前記他の取水口３０ｂから取水した海水は、海水用供給ポンプ３１ｂにより前記冷却手段１に供給され、この冷却手段１により冷却されて２９℃の冷海水となる。この冷却手段１により冷却された冷海水は、前記一の取水口３０ａから取水した海水と共に、各々冷海水用供給ポンプ２及び海水用供給ポンプ３１ａにより供給されて、各供給量を調節する供給調節手段３ａ、３ｂを経て、前記冷海水調合タンク４に混合冷海水として貯蔵される。この冷海水調合タンク４で生成された混合冷海水は、前記供給調節手段３ａ、３ｂにより温度が３０℃の混合冷海水となって、混合冷海水用供給ポンプ８により前記凝縮手段２６へ送り込まれる。
【００２５】
前記混合冷海水の温度は、既存の海水淡水化装置である放熱手段３２および本実施形態に係る海水淡水化装置の各能力と、この放熱手段３２で生成される淡水量および本実施形態に係る海水淡水化装置により生成される淡水量の比率に影響を及ぼす重要なパラメータであることがわかっている。このことから、供給調節手段３ａ、３ｂは、前記の取水口３０ａから取水した海水および前記冷却手段１により冷却された冷海水の各供給量を調節することにより、前記混合冷海水の温度を設定することができる。
前記凝縮手段２６は、例えばプレート式熱交換器で構成した場合を仮定すると、前記フラッシュ蒸発手段２３で得られた水蒸気が前記混合冷海水により凝縮され、この混合冷海水の温度が、入口温度３０℃に対して温度が７℃上昇し、出口では３７℃の海水としている。この海水は、前記真空手段２８の前段熱交換器２９により熱回収後に排出された海水と混合された後、混合海水となって放熱手段３２へ海水用供給ポンプ１６により送り込まれる。その後、前記放熱手段３２の熱交換用媒体として供給されると共に、この放熱手段３２においてこの混合海水は、熱が放出され、温度を高くして排出される。例えば、前記放熱手段３２がシェル・アンド・チューブ式熱交換器の場合、混合海水は、入口温度３７℃に対して温度が８．５℃上昇し、出口では４５．５℃の温海水となる。
【００２６】
この温海水は、前記放熱手段３２において蒸発仕切れなかった温海水の一部と共に、各々温海水用供給ポンプ２１ａ及び２１ｂにより前記混合温海水用供給調節手段１３へ送り込まれた後、この混合温海水用供給調節手段１３により流量等が調節されて前記フラッシュ蒸発手段２３へ供給される。このフラッシュ蒸発手段２３では、前記温海水がスプレーフラッシュ式により略霧状に噴射して水分を一部蒸発させ、水蒸気が得られる。ここでは、温海水の入口温度４５．５℃に対して温度が約７．５℃降下し、水蒸気の温度は３８℃となっている。一方、蒸発しなかった残りの海水は、水蒸気の温度とほぼ同じで、３８℃程度となっている。この程度の温度であれば、環境上の問題はなく、装置外へ排出してもよい。
【００２７】
以上の制御構成により、前記凝縮手段２６へ供給される冷却水を任意の温度に調節することができ、淡水化の効率および能力が向上し、また、フラッシュ蒸発手段２３で蒸発仕切れず排出される温海水の温度を最適値あるいは最小値に設定することができ、環境への影響が軽減できる。
【００２８】
また、上記動作説明中で特定した六つの温度、すなわち前記冷却手段１により冷却された冷海水の温度２９℃(T1)、前記凝縮手段２６へ送り込まれる混合冷海水の温度３０℃(T2)、前記凝縮手段２６の出口における混合冷海水の温度３７℃(T3)、前記放熱手段３２の出口における温海水の温度４５．５℃(T4)、前記フラッシュ蒸発手段２３における水蒸気の温度３８℃(T5)、前記フラッシュ蒸発手段２３で蒸発しなかった残りの海水の温度３８℃程度(T6)に着目すると、T1＜T2＜T3＜T5＝T6＜T4の大小関係が成立するように構成できていることがわかる。
【００２９】
この大小関係が得られる理由は以上の説明からわかるように、前記取水口３０ｂから取水した海水の温度３４℃を前記冷却手段１により冷却することで２９℃に降下させたためである。このように本実施形態に係る海水淡水化装置は、海水淡水化装置全体の熱効率および淡水化効率を支配するパラメータとなり得る温度に関して、上記の温度構成にすることで装置全体の熱効率および淡水化効率を向上させることができる。
【００３０】
(本発明の他の実施形態)
前記図１に記載の第一の実施形態においては、統合制御手段１５が冷却手段１、冷海水生成手段本体５および温海水生成手段本体１１をいずれも制御する構成としたが、冷却手段１、冷海水生成手段本体５(冷海水生成手段１０１)および温海水生成手段本体１１(温海水生成手段１０２)のいずれか少なくとも一つを特定し、または任意に選択して統合制御手段１５により制御する構成とすることもできる。
【００３１】
また、前記第一の実施形態においては、冷却手段１、冷海水生成手段１０１および温海水生成手段１０２を備える構成としたが、取水口３０ａから海水の供給を受ける放熱手段３２と取水口３０ｂとの間に冷却手段１のみを設けて構成することもできる。さらに、他の実施形態に係る海水淡水化装置として、放熱手段３２および冷却手段１の構成に、冷海水生成手段１０１または温海水生成手段１０２のいずれか一つを加えて構成することもできる。
【図面の簡単な説明】
【００３２】
【図１】本発明の第一の実施形態に係る海水淡水化装置の全体ブロック構成図である。
【図２】図１記載の海水淡水化装置における冷却手段および冷海水生成手段のブロック構成図である。
【図３】図１記載の海水淡水化装置における温海水生成手段のブロック構成図である。
【図４】図１記載の海水淡水化装置における統合制御手段のブロック構成図である。
【図５】従来の海水淡水化装置の概略構成図である。
【符号の説明】
【００３３】
１                    冷却手段
２                    冷海水用供給ポンプ
３ａ，３ｂ            供給調節手段
４                    冷海水調合タンク
５                    冷海水生成手段本体
６                    抜気手段
７                    冷海水用温度計測手段
８                    混合冷海水用供給ポンプ
１１                    温海水生成手段本体
１２                    温海水用供給ポンプ
１３                    混合温海水用供給調節手段
１４                    排出温海水用温度計測手段
１５                    統合制御手段
１６                    海水用供給ポンプ
２１ａ，２１ｂ          温海水用供給ポンプ
２２，５２                減圧容器
２３，５３                フラッシュ蒸発手段
２４                      温海水排出用ポンプ
２５，５５                霧取り手段
２６，５４                凝縮手段
２７                      淡水取り出し用ポンプ
２８                      真空手段
２９                      前段熱交換手段
３０ａ，３０ｂ            取水口
３１ａ，３１ｂ            海水用供給ポンプ
３２，５０                放熱手段
５１                      海水淡水化装置
５６                      取水管
５７                      排水管
１０１                    冷海水生成手段
１０２                    温海水生成手段
【図１】
2005349369.tif 000003
【図２】
2005349369.tif 000004
【図３】
2005349369.tif 000005
【図４】
2005349369.tif 000006
【図５】
2005349369.tif 000007